(57)【要約】      （修正有）【課題】ガイドレールに対する給油量の調節の精度の持続性を向上させる。【解決手段】潤滑油３１に対する含浸性を有し、ガイドレール５に潤滑油を塗布する塗布部材３３と、潤滑油を毛細管現象により吸い上げて塗布部材に供給する吸上げ部材３４と、この吸上げ部材から塗布部材に対する給油量を調節する給油量調節機構とを備え、給油量調節機構は、塗布部材側から垂れ下がった垂下部３４ａ１、３４ａ３と、予め設定された温度以上の状態において複数の垂下部のうちの一部の垂下部を潤滑油の上方に持ち上げる形状を成し、予め設定された温度よりも低い状態において一部の垂下部が重力により潤滑油に浸る位置に移動することを許容する形状を成す伸縮体４０Ａとを備える。【選択図】図３
2015189527.tif 000002
【特許請求の範囲】
【請求項１】
潤滑油を貯留するケースと、潤滑油に対する含浸性を有し、潤滑油よりも高く位置する前記ケースの個所に配置され、エレベータのガイドレールに潤滑油を塗布する塗布部材と、一端が前記ケース内の前記潤滑油に浸され、他端が前記塗布部材と接触して設けられ、前記潤滑油を毛細管現象により吸い上げて前記塗布部材に供給するシート状の吸上げ部材と、前記吸上げ部材から前記塗布部材に対する給油量を調節する給油量調節機構とを備えるエレベータのガイドレール用給油装置において、
前記給油量調節機構は、
前記吸上げ部材の前記一端を含み、前記塗布部材側から垂れ下がった複数の垂下部と、伸縮性を有する中空の部材に気体が封入されて成り、その気体が温度の変化に伴って体積を変化させることで伸縮する伸縮体とを備え、
前記伸縮体は、予め設定された温度以上の状態において前記複数の垂下部のうちの一部の垂下部を潤滑油の上方に持ち上げる形状を成し、前記予め設定された温度よりも低い状態において前記一部の垂下部が重力により潤滑油に浸る位置に移動することを許容する形状を成す
ことを特徴とするエレベータのガイドレール用給油装置。
【請求項２】
請求項１に記載のエレベータのガイドレール用給油装置において、
前記伸縮体として、互いに異なる温度で伸縮する複数種類の伸縮体を備え、
前記一部の垂下部は複数であって、これらの垂下部のそれぞれが前記複数種類の伸縮体のいずれか１種類によって持ち上げられる
ことを特徴とするエレベータのガイドレール用給油装置。
【発明の詳細な説明】
【技術分野】
【０００１】
本発明は、乗かごのガイドレールに対する潤滑油の供給、カウンタウェイトのガイドレールに対する潤滑油の供給に用いられるエレベータのガイドレール用給油装置であって、特に、気温の変化に応じてガイドレールに対する給油量を調節するエレベータのガイドレール用給油装置に関する。
【背景技術】
【０００２】
エレベータの昇降路内には、ガイドレールが上下方向に延びて設けられている。乗かご及びカウンタウェイトから成る昇降体には、ガイドレールに対して摺接して位置するガイドシューが設けられている。つまり、昇降体の昇降に伴い、ガイドレールに対しガイドシューが摺動することによって、昇降体の昇降が案内される。ガイドレールに対してガイドシューを円滑に摺動させるために、ガイドレールには潤滑油を供給することが行われる。
【０００３】
ガイドレールに潤滑油を供給する装置としては、例えば特許文献１に開示されたエレベータのガイドレール用給油装置がある。このエレベータのガイドレール用給油装置は、油（潤滑油）が入れられた油槽部と、ガイドレールに油を塗布することで供給する給油部と、フェルト等の含侵性の部材であり、油槽部の油を毛細管作用により給油部に運ぶ給油部材とを備える。
【０００４】
給油部材には、給油量可変機構が取付けられている。この給油量可変機構は給油部材を挟む２枚の給油量絞りプレートと、板状バイメタルと、２枚の給油量絞りプレートの一方との間で板状バイメタルを挟むプレートと、プレート及び板状バイメタルを保持するボルト・ナットと、ボルトが挿し通された状態で２枚の給油量絞りプレートの一方を他方から離れる方向に付勢する圧縮ばねとを備える。板状バイメタルは、熱膨張係数の異なる２種類の金属板が張り合わされたもので、夏場（高温となる季節）は圧縮ばねの弾性力に抗して湾曲し、冬場（低温となる季節）は平らになる。
【０００５】
つまり、夏場は、板状バイメタルが湾曲することで２枚の給油量絞りプレートの間隔が狭まり、これによって給油部材の厚さが小さくなり、この結果、ガイドレールに対する給油量が過剰になることが抑制される。また、冬場は、板状バイメタルが平らになることで２枚の給油量絞りプレートの間隔は夏場に比べて広くなり、これによって給油部材の厚さが増し、この結果、夏季よりも潤滑油の粘度が高い冬季においてもガイドレールに必要な給油量が確保される。
【先行技術文献】
【特許文献】
【０００６】
【特許文献１】特開２０００−１３６０７７号公報
【発明の概要】
【発明が解決しようとする課題】
【０００７】
特許文献１に開示されたエレベータのガイドレール用給油装置において、給油量可変機構は、給油部材を圧縮して変形させることで、ガイドレールに対する給油量が過剰になることを抑えるものである。このため、給油部材は、圧縮された状態から解放された後、原型に戻らず、この結果、ガイドレールに対する給油量の調節の精度が低下してしまう虞がある。
【０００８】
本発明は前述の事情を考慮してなされたものであり、その目的は、ガイドレールに対する給油量の調節の精度の持続性を向上させることができるエレベータのガイドレール用給油装置を提供することにある。
【課題を解決するための手段】
【０００９】
前述の目的を達成するために、本発明に係るエレベータのガイドレール用給油装置は、潤滑油を貯留するケースと、潤滑油に対する含浸性を有し、潤滑油よりも高く位置する前記ケースの個所に配置され、エレベータのガイドレールに潤滑油を塗布する塗布部材と、一端が前記ケース内の前記潤滑油に浸され、他端が前記塗布部材と接触して設けられ、前記潤滑油を毛細管現象により吸い上げて前記塗布部材に供給するシート状の吸上げ部材と、前記吸上げ部材から前記塗布部材に対する給油量を調節する給油量調節機構とを備えるエレベータのガイドレール用給油装置において、前記給油量調節機構は、前記吸上げ部材の前記一端を含み、前記塗布部材側から垂れ下がった複数の垂下部と、伸縮性を有する中空の部材に気体が封入されて成り、その気体が温度の変化に伴って体積を変化させることで伸縮する伸縮体とを備え、前記伸縮体は、予め設定された温度以上の状態において前記複数の垂下部のうちの一部の垂下部を潤滑油の上方に持ち上げる形状を成し、前記予め設定された温度よりも低い状態において前記一部の垂下部が重力により潤滑油に浸る位置に移動することを許容する形状を成すことを特徴とする。
【発明の効果】
【００１０】
本発明に係るエレベータのガイドレール用給油装置は、吸上げ部材の一部の垂下部を伸縮体により潤滑油の上方に持ち上げ、潤滑油の上方に持ち上げられた一部の垂下部を重力を利用して潤滑油に浸る状態に戻す。これにより、本発明に係るエレベータのガイドレール用給油装置は、吸上げ部材に復元不能な過度な変形を強いることなく、ガイドレールに対する給油量を調節することができ、この結果、ガイドレールに対する給油量の調節の精度の持続性を向上させることができる。
【図面の簡単な説明】
【００１１】
【図１】本発明の実施形態に係るエレベータのガイドレール用給油装置が適用されるエレベータの一例の概略図である。
【図２】本発明の第１実施形態に係るエレベータのガイドレール用給油装置の上面図である。
【図３】図２のIII−III断面図である。
【図４】図３のIV−IV断面図である。
【図５】第１実施形態における伸縮体の拡大斜視図である。
【図６】第１実施形態において吸上げ部材の一部の垂下部が伸縮体により潤滑油の上方に持ち上げられた状態を示す図であって、図３に対応する断面図である。
【図７】図６に示した状態の図４に対応する断面図である。
【図８】本発明の第２実施形態に係るエレベータのガイドレール用給油装置を示す図であって、図３に対応する断面図である。
【図９】図８に示した状態の図４に対応する断面図である。
【図１０】第２実施形態において吸上げ部材の一部の垂下部が伸縮体により潤滑油の上方に持ち上げられた状態を示す図であって、図３に対応する断面図である。
【図１１】図１０に示した状態の図９に対応する断面図である。
【発明を実施するための形態】
【００１２】
本発明の実施形態に係るエレベータのガイドレール用給油装置が適用されるエレベータについて図１を用いて説明する。
【００１３】
本実施形態に係るエレベータのガイドレール用給油装置は、例えば図１に示すエレベータ１に適用される。エレベータ１は、昇降路２と、この昇降路２内に配置される乗かご１０及びカウンタウェイト２０と、これら乗かご１０とカウンタウェイト２０を連結する複数のワイヤーロープ３と、これらのワイヤーロープ３を巻き上げる巻上機４と、昇降路２の壁面に上下方向に延びて設けられた１対の乗かご用ガイドレール５及び１対のカウンタウェイト用ガイドレール６とを備える。
【００１４】
乗かご１０の上端部及び下端部のそれぞれには、乗かご用ガイドレール５に対して摺動する乗かご用ガイドシュー１１，１２のそれぞれが設けられている。カウンタウェイト２０の上端部及び下端部のそれぞれには、カウンタウェイト用ガイドレール６に対して摺動するカウンタウェイト用ガイドシュー２１，２２のそれぞれが設けられている。つまり、乗かご１０の昇降に伴い、乗かご用ガイドレール５に対し乗かご用ガイドシュー１１，１２が摺動することによって、乗かご１０の昇降が案内され、カウンタウェイト２０の昇降に伴い、カウンタウェイト用ガイドレール６に対しカウンタウェイト用ガイドシュー２１，２２が摺動することによって、カウンタウェイト２０の昇降が案内される。
【００１５】
［第１実施形態］
本発明の第１実施形態に係るエレベータのガイドレール用給油装置について図２〜図７を用いて説明する。
【００１６】
第１実施形態に係るエレベータのガイドレール用給油装置は、図２〜図４示すガイドレール用給油装置３０である。このガイドレール用給油装置３０は、乗かご１０またはカウンタウェイト２０に設けられたガイドシュー（乗かご用ガイドシュー１１，１２またはカウンタウェイト用ガイドシュー２１，２２）の摺動対象であるガイドレール（乗かご用ガイドレール５またはカウンタウェイト用ガイドレール６）に対して潤滑油を供給するものである。以下では、本実施形態に係るガイドレール給油装置３０が乗かご用ガイドレール５に対して潤滑油を供給するものとして用いられる場合を例に挙げて説明し、カウンタウェイト用ガイドレール６に対して潤滑油を給油するものとして用いられる場合については、乗かご用ガイドレール５に対して潤滑油を供給するものとして用いられる場合と同様なので説明を省略する。
【００１７】
第１実施形態に係るエレベータのガイドレール用給油装置３０は乗かご用ガイドシュー１１に取り付けられるものであり、ケース本体３２ａと蓋３２ｂとから構成され、ケース本体３２ａに潤滑油３１を貯留するケース３２と、潤滑油３１に対する含浸性を有し、ケース３２内の潤滑油３１よりも高く位置するケース３２の個所に設けられ、乗かご用ガイドレール５に潤滑油を塗布する塗布部材３３と、一端がケース３２内の潤滑油３１に浸され、他端が塗布部材３３と接触して設けられ、潤滑油を毛細管現象により吸い上げて塗布部材３３に供給するシート状の吸上げ部材３４と、この吸上げ部材３４から塗布部材３３に対する給油量を調節する給油量調節機構とを備える。
【００１８】
ケース３２は、乗かご用ガイドレール５が挿入される凹部３２ｃを備える。この凹部３２ｃの周囲であって、潤滑油３１よりも高く位置するケース本体３２ａの個所には、塗布部材３３が配置される載置部３２ｄが設けられている。
【００１９】
塗布部材３３は、潤滑油３１に対する含浸性を有する繊維製部材、例えばフェルト製部材であり、載置部３２ｄ上に位置した状態において、ケース３２の凹部３２ｃ内に突出して位置する。凹部３２ｃ内に位置する塗布部材３３の個所には、乗かご用ガイドレール５が挿入される溝３３ａが設けられている。塗布部材３３は、その溝３３ａの内壁面で乗かご用ガイドレール５に接触し潤滑油３１を塗布する。
【００２０】
吸上げ部材３４は、ケース３２の載置部３２ｄ上で塗布部材３３と重なり合っているとともに、載置部３２ｄからケース３２の底面に垂れ下がっている。吸上げ部材３４は載置部３２ｄ上で塗布部材３３と重なり合っているので、ケース３２内の潤滑油３１を吸上げ部材３４が毛細管現象により吸い上げると、塗布部材３３に潤滑油が供給されることになる。
【００２１】
給油量調節機構は、吸上げ部材３４の一端を含み、塗布部材３３側から垂れ下がった複数の（例えば８本）の垂下部３４ａ１〜３４ａ８と、伸縮性を有する中空の部材に気体が封入されて成り、その気体が温度の変化に伴って体積を変化させることで伸縮する伸縮体４０Ａ〜４０Ｄとを備える。
【００２２】
伸縮体４０Ａ〜４０Ｄは、ケース本体３２ａの底面に設けられている。これら伸縮体４０Ａ〜４０Ｄは、図５に示すように、ケース本体３２ａに固定される基部４１と、この基部４１に突出して設けられ、周側面に蛇腹が形成された伸縮部４２とを備える。これら基部４１と伸縮部４２は中空であり、一体に形成されている。基部４１の内部の空間と伸縮部４２の内部の空間は連通している。基部４１の内部と伸縮部４２との内部には、気体が充填されている。伸縮体４０Ａ〜４０Ｄは、伸縮部４２が上下方向（図中の両矢印方向）に伸縮する姿勢で、基部４１をケース本体３２ａの底面に固定されている。図５は、伸縮部４２が限界まで伸長した状態を示す。
【００２３】
伸縮体４０Ａ〜４０Ｄのそれぞれは、予め設定された温度以上の状態において一部の垂下部３４ａ１，３４ａ２，３４ａ７，３４ａ８のそれぞれを、潤滑油３１の上方に持ち上げる形状（図６，図７に示す）を成す。また、伸縮体４０Ａ〜４０Ｄのそれぞれは、予め設定された温度よりも低い状態において一部の垂下部３４ａ１，３４ａ２，３４ａ７，３４ａ８のそれぞれが重力により潤滑油に浸る位置に移動することを許容する形状（図３，図４に示す）を成す。予め設定された温度は、夏季に垂下部３４ａ１，３４ａ２，３４ａ７，３４ａ８を潤滑油３１の上方に持ち上げ、冬季に垂下部３４ａ１，３４ａ２，３４ａ７，３４ａ８を潤滑油３１に浸らせることを意図して設定されたものである。また、予め設定された温度は、伸縮体４０Ａ〜４０Ｄの全てに関し同じに設定されたものである。
【００２４】
第１実施形態に係るエレベータのガイドレール用給油装置３０は次の効果を奏する。
【００２５】
第１実施形態に係るエレベータのガイドレール用給油装置３０は、吸上げ部材３４の一部の垂下部３４ａ１，３４ａ２，３４ａ７，３４ａ８のそれぞれを伸縮体４０Ａ〜４０Ｄのそれぞれにより潤滑油３１の上方に持ち上げ、潤滑油３１の上方に持ち上げられた一部の垂下部３４ａ１，３４ａ２，３４ａ７，３４ａ８を重力を利用して潤滑油３１に浸る状態に戻す。これにより、本実施形態に係るエレベータのガイドレール用給油装置３０は、吸上げ部材３４に復元不能な過度な変形を強いることなく、乗かご用ガイドレール５及びカウンタウェイト用ガイドレール６に対する給油量を調節することができ、この結果、乗かご用ガイドレール５及びカウンタウェイト用ガイドレール６に対する給油量の調節の精度の持続性を向上させることができる。
【００２６】
なお、第１実施形態に係るエレベータのガイドレール用給油装置３０は、互いに同じ温度で伸縮する伸縮体４０Ａ〜４０Ｄを備えるもの、すなわち、１種類の伸縮体を備えるものであるが、本発明はこれに限定されるものではなく、互いに異なる温度で伸縮する複数種類の伸縮体を備え、一部の垂下部３４ａ１，３４ａ２，３４ａ７，３４ａ８のそれぞれが、それらの複数種類の伸縮体のいずれか１種類によって持ち上げられる、というものであってもよい。このエレベータのガイドレール用給油装置は、第１実施形態に係るガイドレール用給油装置３０よりも給油量の調節を細かく行うことができる。
【００２７】
［第２実施形態］
本発明の第２実施形態に係るエレベータのガイドレール用給油装置について図８〜図１１を用いて説明する。
【００２８】
第２実施形態に係るエレベータのガイドレール用給油装置は、図８〜図１１に示すガイドレール用給油装置５０である。この第２実施形態に係るガイドレール用給油装置５０は、図８に示すように、第１実施形態における伸縮体４０Ａ〜４０Ｄの替わりに、伸縮体５０Ａ〜５０Ｄを備える点のみ、第１実施形態に係るエレベータのガイドレール用給油装置３０と異なる。
【００２９】
伸縮体５０Ａ〜５０Ｄは、第１実施形態における伸縮体４０Ａ〜４０Ｄと同様のものであるが、ケース本体３２ａに対する配置が伸縮体４０Ａ〜４０Ｄとは異なる。具体的には、伸縮体５０Ａ〜５０Ｄは、伸縮部４２が前後方向（図における左右方向）に伸縮する姿勢で、塗布部材３３の下方に位置するケース本体３２ａの側面に基部４１を固定されている。
【００３０】
伸縮体５０Ａ〜５０Ｄのそれぞれは、予め設定された温度以上の状態において一部の垂下部３４ａ１，３４ａ２，３４ａ７，３４ａ８のそれぞれを、潤滑油３１の上方に持ち上げる形状（図１０，図１１に示す）を成す。また、伸縮体５０Ａ〜５０Ｄのそれぞれは、予め設定された温度よりも低い状態において一部の垂下部３４ａ１，３４ａ２，３４ａ７，３４ａ８のそれぞれが重力により潤滑油に浸る位置に移動することを許容する形状（図８，図９に示す）を成す。予め設定された温度は、夏季に垂下部３４ａ１，３４ａ２，３４ａ７，３４ａ８を潤滑油３１の上方に持ち上げ、冬季に垂下部３４ａ１，３４ａ２，３４ａ７，３４ａ８を潤滑油３１に浸らせることを意図して設定されたものである。また、予め設定された温度は、伸縮体５０Ａ〜５０Ｄの全てに関し同じに設定されたものである。
【００３１】
第２実施形態に係るエレベータのガイドレール用給油装置５０は次の効果を奏する。
【００３２】
第２実施形態に係るエレベータのガイドレール用給油装置５０は、吸上げ部材３４の一部の垂下部３４ａ１，３４ａ２，３４ａ７，３４ａ８のそれぞれを伸縮体５０Ａ〜５０Ｄのそれぞれにより潤滑油３１の上方に持ち上げ、潤滑油３１の上方に持ち上げられた一部の垂下部３４ａ１，３４ａ２，３４ａ７，３４ａ８を重力を利用して潤滑油３１に浸る状態に戻す。これにより、本実施形態に係るエレベータのガイドレール用給油装置５０は、吸上げ部材３４に復元不能な過度な変形を強いることなく、乗かご用ガイドレール５及びカウンタウェイト用ガイドレール６に対する給油量を調節することができ、この結果、乗かご用ガイドレール５及びカウンタウェイト用ガイドレール６に対する給油量の調節の精度の持続性を向上させることができる。
【００３３】
なお、第２実施形態に係るエレベータのガイドレール用給油装置５０は、互いに同じ温度で伸縮する伸縮体５０Ａ〜５０Ｄを備えるもの、すなわち、１種類の伸縮体を備えるものであるが、本発明はこれに限定されるものではなく、互いに異なる温度で伸縮する複数種類の伸縮体を備え、一部の垂下部３４ａ１，３４ａ２，３４ａ７，３４ａ８のそれぞれが、それらの複数種類の伸縮体のいずれか１種類によって持ち上げられる、という構成であってもよい。この構成のエレベータのガイドレール用給油装置は、第２実施形態に係るガイドレール用給油装置５０よりも給油量の調節を細かく行うことができる。
【符号の説明】
【００３４】
１  エレベータ
２  昇降路
３  ワイヤーロープ
４  巻上機
５  乗かご用ガイドレール
６  カウンタウェイト用ガイドレール
１０  乗かご
１１，１２  乗かご用ガイドシュー
２０  カウンタウェイト
２１，２２  カウンタウェイト用ガイドシュー
３０  ガイドレール用給油装置（第１実施形態）
３１  潤滑油
３２  ケース
３２ａ  ケース本体
３２ｂ  蓋
３２ｃ  凹部
３２ｄ  載置部
３３  塗布部材
３３ａ  溝
３４  吸上げ部材
３４ａ１〜３４ａ８  垂下部（給油量調節機構）
４０Ａ〜４０Ｄ  伸縮体（給油量調節機構）
５０  ガイドレール用給油装置（第２実施形態）
５０Ａ〜５０Ｄ  伸縮体
【図１】
2015189527.tif 000003
【図２】
2015189527.tif 000004
【図３】
2015189527.tif 000005
【図４】
2015189527.tif 000006
【図５】
2015189527.tif 000007
【図６】
2015189527.tif 000008
【図７】
2015189527.tif 000009
【図８】
2015189527.tif 000010
【図９】
2015189527.tif 000011
【図１０】
2015189527.tif 000012
【図１１】
2015189527.tif 000013